(57)【特許請求の範囲】
【請求項１】
筐体に設けた前扉に表示ユニットを取り付けた場合、前記前扉に設けた表示窓から前記表示ユニットの表示装置に表示される画像や文字情報等を視認可能とし、また、前記前扉に照明ユニットを取り付けた場合、前記照明ユニットの光源により前記表示窓を裏面側から照明するようにした遊技機において、
前記前扉に、前記表示ユニット及び前記照明ユニットを裏面側から止め部材により選択的に取り付け可能な取付部を設け、
前記表示ユニットは、前記表示装置と、前記表示装置を保持する表示ハウジングと、複数の出力用コネクタを実装した中継基板を含み、
前記照明ユニットは、前記光源を実装した照明基板と、前記照明基板を保持する照明ハウジングと、前記表示ユニットと共用される前記中継基板を含み、
前記表示ハウジング及び前記照明ハウジングの外形をほぼ同一寸法とするとともに、前記表示ハウジング及び前記照明ハウジングのそれぞれに、前記取付部に前記止め部材により固定される被取付部を設け、
前記中継基板は、前記表示ハウジング及び前記照明ハウジングに選択的に取り付け可能であるとともに、前記表示装置に表示される画面を切り替えるための前記前扉の表面に設けられる切換スイッチ、及び遊技状態に応じた効果音を発生可能なスピーカの作動を確認するための前記照明ハウジングに設けられる作動確認スイッチに選択的に電気的に接続可能な選択出力コネクタを含む前記複数の出力用コネクタを実装し、
前記照明ユニットを前記前扉に取り付けた場合、前記作動確認スイッチを前記選択出力コネクタに電気的に接続し、また、前記表示ユニットを前記前扉に取り付けた場合、前記切換スイッチを前記選択出力コネクタに電気的に接続することによって、前記照明ユニットまたは前記表示ユニットを前記前扉に取り付けた場合でも、前記中継基板に空コネクタが存在しないようにしたことを特徴とする遊技機。
【発明の詳細な説明】
【技術分野】
【０００１】
本発明は、前扉に表示ユニット及び照明ユニットを選択的に取り付け可能とした遊技機に関する。
【背景技術】
【０００２】
スロットマシン等の遊技機においては、外周面に数字や図柄等で構成される識別情報が描かれた回転リールを含む各種遊技機器を収容した筐体と、筐体の前面に設けられ、表面に各種操作スイッチを配置した前扉を備えるとともに、前扉に設けた表示窓に、遊技状態に応じた演出の画像を表示させたり、遊技機の履歴を表示させたりする液晶画面を備えた表示機能付き（例えば、特許文献１参照）と、遊技状態に応じた態様で前扉の表示窓を裏側から照明する表示機能無し（例えば、特許文献２参照）とがある。
【０００３】
また、遊技機の遊技テーマを変更する場合には、表示窓や回転リールの識別情報を視認可能とする識別情報表示窓の大きさ、遊技機全体のデザインを変更しない限り、前扉の表面に描かれるデザイン、色彩等を変更するだけで、筐体及び前扉はそのまま使用されるようになっている。
【特許文献１】特開２００５−１９８７０７号公報
【特許文献２】特開平７−１２４３２４号公報
【発明の開示】
【発明が解決しようとする課題】
【０００４】
しかし、上述のような遊技機においては、表示ユニット及び照明ユニットの表示方法、外形及び取り付け寸法が互いに異なるため、表示ユニット及び照明ユニットを前扉に選択的に取り付けることはできない。したがって、表示機能付きの前扉と表示機能無しの前扉とを共用化することはできない。
【０００５】
本発明は、上述のような従来の問題に鑑み、前扉に表示ユニットと照明ユニットを選択的に取り付け可能として、前扉の共用化を可能にした遊技機を提供することを目的とする。
【課題を解決するための手段】
【０００６】
本発明によると、上記課題は、次のようにして解決される。
（１）  筐体に設けた前扉に表示ユニットを取り付けた場合、前記前扉に設けた表示窓から前記表示ユニットの表示装置に表示される画像や文字情報等を視認可能とし、また、前記前扉に照明ユニットを取り付けた場合、前記照明ユニットの光源により前記表示窓を裏面側から照明するようにした遊技機において、前記前扉に、前記表示ユニット及び前記照明ユニットを裏面側から止め部材により選択的に取り付け可能な取付部を設け、前記表示ユニットは、前記表示装置と、前記表示装置を保持する表示ハウジングと、複数の出力用コネクタを実装した中継基板を含み、前記照明ユニットは、前記光源を実装した照明基板と、前記照明基板を保持する照明ハウジングと、前記表示ユニットと共用される前記中継基板を含み、前記表示ハウジング及び前記照明ハウジングの外形をほぼ同一寸法とするとともに、前記表示ハウジング及び前記照明ハウジングのそれぞれに、前記取付部に前記止め部材により固定される被取付部を設け、前記中継基板は、前記表示ハウジング及び前記照明ハウジングに選択的に取り付け可能であるとともに、前記表示装置に表示される画面を切り替えるための前記前扉の表面に設けられる切換スイッチ、及び遊技状態に応じた効果音を発生可能なスピーカの作動を確認するための前記照明ハウジングに設けられる作動確認スイッチに選択的に電気的に接続可能な選択出力コネクタを含む前記複数の出力用コネクタを実装し、前記照明ユニットを前記前扉に取り付けた場合、前記作動確認スイッチを前記選択出力コネクタに電気的に接続し、また、前記表示ユニットを前記前扉に取り付けた場合、前記切換スイッチを前記選択出力コネクタに電気的に接続することによって、前記照明ユニットまたは前記表示ユニットを前記前扉に取り付けた場合でも、前記中継基板に空コネクタが存在しないようにする。
【発明の効果】
【００１３】
本発明によれば、次のような効果が奏せられる。
請求項１記載の発明によると、前扉に、表示ユニット及び照明ユニットを裏面側から止め部材により選択的に取り付け可能とした取付部を設けたことにより、表示ユニット及び照明ユニットを前扉に選択的に取り付けることができ、表示機能付きの前扉と表示機能無しの前扉の共用化を図ることができる。
さらに、表示ユニットの表示ハウジング及び照明ユニットの照明ハウジングの被取付部を、前扉の取付部に止め部材より固定することにより、表示ユニット及び照明ユニットを前扉に選択的に取り付けるができる。
また、中継基板を表示ユニット及び照明ユニットのいずれに使用しても、空コネクタが発生することがないため、中継基板を表示ユニットと照明ユニットに共用することができる。
しかも、作動確認スイッチの操作により、スピーカの作動を確認することができる。
【発明を実施するための最良の形態】
【００２０】
以下、本発明の一実施形態を図面に基づいて説明する。図１は、本発明の一実施形態を適用した遊技機（スロットマシン）の斜視図を示す。なお、以下の説明においては、図１における左斜め下方を「前方または表面」とし、右斜め上方を「後方または裏面」とし、左斜め上方を「左方」とし、右斜め下方を「右方」とする。
【００２１】
図１に示すように、遊技機１は、各種遊技機器を収容した筐体２と、筐体２の前面に開閉可能に設けられた前扉３とを備え、図３に示すように、前扉３の裏面側に、遊技状態に応じた演出用の画像を表示したり、遊技機１の履歴情報を表示したりする表示ユニット１９及び遊技状態に応じた態様で発光可能な照明ユニット２０を選択的に取り付け可能として、表示ユニット１９を用いた表示機能付きの前扉３と、照明ユニット２０を用いた表示機能無しの前扉３の共用化を可能としている。
【００２２】
なお、本実施形態において、遊技機１を遊技媒体がメダルまたはコインとするスロットマシンとするが、本発明は、これに特定されるものでなく、遊技機１を遊技媒体がパチンコ玉とするパチンコ機またはスロットマシン、その他の遊技機としても良い。
【００２３】
図２は、前扉３を開けた状態の遊技機１の斜視図を示す。なお、図２においては、前扉３の裏面に照明ユニット２０を取り付けたものを示す。図２に示すように、筺体２内には、遊技機器をなす、外周面に複数種類の図柄、数字等で構成される識別情報（図示略）が描かれた左、中、右の３個の回転リール５、メダルを貯留及び払出可能なホッパーユニット６、遊技全体を統括的に制御する主制御基板（図示略）、主制御基板の指令に基づいて後述の遊技演出手段に制御信号を出力可能な副制御基板７及び主制御基板やその他の電気機器へ電力を供給する電源装置８等が収容されている。
【００２４】
図１に示すように、前扉３の上半分には、透明なアクリル板により形成されるパネル３１０が嵌め込まれている。パネル３１０には、正面視矩形の識別情報表示窓３１２が形成されている。なお、パネル３１０の識別情報表示窓３１２を除く領域は、彩色、模様等が施され、不透明または半透明に形成されている。
【００２５】
表示窓３１１は、透明なアクリル板により形成されて、前扉３に表示ユニット１９を取り付けた場合には、表示ユニット１９の液晶画面等により構成される表示装置１９１に表示される遊技に関連する画像や履歴情報を視認し得るように透明に形成され、また、前扉３に照明ユニット２０を取り付けた場合には、照明ユニット２０の光源２０１の発光により表面が明るくなるように図柄、文字、模様等が施されて半透明に形成される。
【００２６】
識別情報表示窓３１２は、遊技機１の前方から各回転リール５の識別情報を３こまずつ視認し得るように形成される。
【００２７】
前扉３には、遊技状態に応じた態様で各部分を照明する各種照明手段が設けられている。照明手段としては、前扉３の上部を照明する左、中、右のトップランプ９、１０、１１、前扉３の両側部を照明する左右のサイドランプ１２、１３及び操作部ランプ２８、２８、識別情報表示窓３１２の両側に設けられた透光性の左右の表示部３１３、３１４の裏面側を照明する左右のパネルランプ１４、１５並びに回転ドラム５の表面を照明する冷陰極管２７等がある。
【００２８】
前扉３の操作部の表面には、遊技を行うときにメダルが投入されるメダル投入部４、メダルをゲームに投資するときに操作されるベットスイッチボタン１６、各回転リール５を回転させるときに操作されるスタートスイッチレバー１７、及び各回転リール５の回転を停止させるときに操作される３個のストップスイッチボタン１８等が設けられている。
【００２９】
前扉３を表示機能付きとした場合には、前扉３における表示窓３１１の右側方に、表示画面切換用の切換スイッチ３３ａ、３３ｂが設けられる。左の切換スイッチ３３ａは、必要に応じて、遊技者または係員により操作されることによって、表示ユニット１９の表示装置１９１に遊技機１の履歴情報等を選択表示させることができ、また、右の切換スイッチ３３ｂを操作することによって、表示装置１９１に選択した情報を決定して表示させることができる。
【００３０】
前扉３を表示機能無しとした場合には、表示画面を切り換える必要性はないため、本来、切換スイッチ３３ａ、３３ｂが取り付けられる部分は、前扉３の裏面側から目隠し用部材３４によって閉塞される。
【００３１】
図２に示すように、前扉３の裏面側には、遊技状態に応じた効果音を発生する左右のスピーカ２１、２１、メダル投入部４に投入されるメダルの真偽を判別可能なメダルセレクター２２、メダルセレクター２２から放出される真のメダルをホッパーユニット６へ誘導するメダルシュート２３等が設けられている。
【００３２】
図２、３に示すように、前扉３の裏面における表示窓３１１の左右両側方には、表示ユニット１９及び照明ユニット２０を、止め部材２９により選択的に取り付け可能とした２個の円柱状の取付部３１５、３１５が一体的に設けられている。
【００３３】
遊技機１のゲームは、遊技者が遊技媒体をメダル投入部４に投入して、ベットスイッチボタン１６によりメダルの賭数を設定した後、スタートスイッチレバー１７を操作して、全ての回転リール５を回転させることによって開始される。
【００３４】
回転リール５が回転して所定時間が経過した後、３個のストップスイッチボタン１８を順次操作して、各回転リール５の回転を停止させ、各回転リール５の識別情報の組み合わせにより、入賞の有無、及び賞の大小に応じたメダルの配当枚数が確定される。入賞した場合には、予め定めた入賞枚数のメダルがホッパーユニット６から前扉３の下部に設けられた受皿に払い出される。
【００３５】
次に、表示ユニット１９及び照明ユニット２０について説明する。
図３に示すように、表示ユニット１９は、遊技状態に応じた演出用の画像や履歴情報を表示可能な液晶画面により構成される表示装置１９１と、表示装置１９１を収容する合成樹脂製の表示ハウジング１９２と、後面に入力用コネクタ２４及び複数の出力用コネクタ２５ａ〜２５ｌ（符号は、図６参照）を実装した中継基板３０と、中継基板３０を表示ハウジング１９２の後面に取り付けるための基板ブラケット３１とを含む。なお、表示装置１９１は、液晶画面に代えて、７セグメントディスプレイやドットマトリクス・ディスプレイ等としても良い。
【００３６】
表示ハウジング１９２は、表示装置１９１を前方から収容し得るように前面が開口する箱状に形成されるとともに、その左右両側部には、止め部材２９をもって、前扉３の左右の取付部３１５に固定される左右の被取付部１９２ａが設けられている。
【００３７】
表示ユニット１９を前扉３の裏面に取り付ける場合には、表示ハウジング１９２の前面に表示装置１９１を収容し、かつ後面に基板ブラケット３１を介して中継基板３０を固定した状態で、表示ハウジング１９２の被取付部１９２ａを、止め部材２９により前扉３の後面から左右の取付部３１５に固定する。これにより、前扉３の表示窓３１１を透して表示装置１９１に表示される画像や履歴情報を視認することができる。
【００３８】
図３、４に示すように、照明ユニット２０は、表面に光源である複数のＬＥＤ２０１を実装した照明基板２０２と、照明基板２０２を収容する合成樹脂製の照明ハウジング２０３と、表示ユニット１９と共用される中継基板３０及び基板ブラケット３１とを含む。また、必要に応じて、ＬＥＤ２０１の光を拡散させるための正面視矩形の光拡散シート３２が追加される。
【００３９】
照明ハウジング２０３は、照明基板２０２を前方から収容し得るように前面が開口する箱状に形成されるとともに、その左右両側部には、表示ハウジング１９２の被取付部１９２ａと同一寸法に形成され、止め部材２９をもって、前扉３の左右の取付部３１５に固定される左右の被取付部２０３ａが設けられている。なお、照明ハウジング２０３は、表示ハウジング１９２の外形寸法とほぼ同一になるように形成される。
【００４０】
光拡散シート３２は、その右側縁の上部側に偏倚した位置に切欠部３２ａを設け、この切欠部３２ａを照明ハウジング２０３内の右側部に設けた位置決め突起部２０３ｃに係合するとともに、４隅を照明ハウジング２０３に設けられた取付部２０３ｂにそれぞれ固定することにより、照明基板２０２の前面を覆うように、照明ハウジング２０３に取り付けられる。
【００４１】
照明ハウジング２０３の各取付部２０３ｂは、照明基板２０２の外側にそれぞれ設けられる。これにより、拡散シート３２を照明ハウジング２０３に固定した際、光拡散シート３２を固定する部分に、ＬＥＤ２０１の光が遮られることがないため、ＬＥＤ２０１の光を光拡散シート３２により拡散させて、表示窓３１１の裏面を均一に照明することができる。また、光拡散シート３２の切欠部３２ａを、照明ハウジング２０３の位置決め突起部２０３ｃに係合させることにより、光拡散シート３２を左右、表裏を間違えることなく、照明ハウジング２０３に確実に取り付けることができる。  
【００４２】
図６に示すように、照明ハウジング２０３の後面下部には、照明入力用コネクタ２６ａ、２６ｂ、確認用コネクタ２６ｃ及び遊技演出手段の作動確認スイッチ２６ｄ、２６ｅが設けられている。
【００４３】
なお、遊技演出手段としては、左、中、右のトップランプ９、１０、１１、左右のサイドランプ１２、１３、左右のパネルランプ１４、１５、スピーカ２１、冷陰極管２７、操作部ランプ２８、表示ユニット１９の表示装置１９１及び照明ユニット２０のＬＥＤ２０１等がある。
【００４４】
中継基板３０を表示ユニット１９の一部として使用する場合には、入力用コネクタ２４、出力用コネクタ２５ａ、２５ｂ、２５ｃ、２５ｄ、２５ｅ、２５ｆ、２５ｇ、２５ｈ、２５ｉ、２５ｊ、２５ｋ及び２５ｌは、副制御基板７、右のトップランプ１１、中のトップランプ１０、左のトップランプ９、左のサイドランプ１２、操作部ランプ２８、左のパネルランプ１４、表示装置１９１、液晶のバックライト（図示略）、冷陰極管２７、右のパネルランプ１５、切換スイッチ３３ａ（３３ｂ）及び右のサイドランプ１３にそれぞれ接続される。
【００４５】
また、中継基板３０を照明ユニット２０の一部として使用する場合には、入力用コネクタ２４、出力用コネクタ２５ａ〜２５ｆ、２５ｉ、２５ｊ及び２５ｌは、表示ユニット１９に使用する場合と同じに接続され、また、出力用コネクタ２５ｇ及び２５ｈの両方は、照明入力用コネクタ２６ａ、２６ｂを介して、ＬＥＤ２０１に接続される。さらに、出力用コネクタ(選択出力コネクタ)２５ｋは、確認用コネクタ２６ｃを介して、作動確認スイッチ２６ｄ、２６ｅに接続される。
【００４６】
出力コネクタ２５ｋに確認用コネクタ２６ｃを接続した場合には、左の作動確認スイッチ２６ｄを操作することにより、左のスピーカ２１の作動を確認することができ、また、右の作動確認スイッチ２６ｅを操作することにより、右のスピーカ２１の作動を確認することができる。
【００４７】
なお、本実施形態においては、作動確認スイッチ２６ｄ、２６ｅの操作で、スピーカ２１の作動を確認するようにしたが、本発明は、これに限定されるものではなく、作動確認スイッチ２６ｄ、２６ｅの操作で他の遊技演出手段の作動を確認するようにすることもできる。また、作動確認スイッチを２個以外の数にしても良い。
【００４８】
上述のように、表示機能付きの前扉３と表示機能無しの前扉３とでは、両者の表示機能の違いから、操作スイッチの数に違いが生じて、中継基板３０に設けられる出力用コネクタの数にも違いが生じることとなる。したがって、中継基板３０をそのまま使用すると、一般的に表示機能無しの前扉３に使用した中継基板３０の方に、現行の規則では許可されていない空コネクタが存在してしまうため、表示ユニット１９の中継基板３０と照明ユニット２０の中継基板３０とを共用化することはできない。
【００４９】
しかし、本実施形態のように、照明ユニット２０に使用される中継基板３０の出力用コネクタのうち、表示機能無しでは必要としない表示画面の切換スイッチ３３ａ、３３ｂに接続される出力用コネクタ２５ｋを、切換スイッチ３３ａ、３３ｂに換えて、確認用コネクタ２６ｃを介して、スピーカ２１の作動を確認する作動確認スイッチ２６ｄ、２６ｅに接続したことによって、中継基板３０に空コネクタが無くなるため、表示ユニット１９の中継基板３０と照明ユニット２０の中継基板３０との共用化が可能になる。
【図面の簡単な説明】
【００５０】
【図１】本発明の一実施形態を適用した遊技機の斜視図である。
【図２】前扉を開けた状態の遊技機の斜視図である。
【図３】前扉を裏側から見た要部の分解斜視図である。
【図４】照明ユニットの分解斜視図である。
【図５】照明ユニットの正面図である。
【図６】照明ユニットの裏面図である。
【符号の説明】
【００５１】
１  遊技機（スロットマシン）
２  筐体
３  前扉
４  メダル投入部
５  回転リール
６  ホッパーユニット
７  副制御基板
８  電源装置
９、１０、１１  トップランプ（照明手段、遊技演出手段）
１２、１３  サイドランプ（照明手段、遊技演出手段）
１４、１５  パネルランプ（照明手段、遊技演出手段）
１６  ベッドスイッチボタン
１７  スタートスイッチレバー
１８  ストップスイッチボタン
１９  表示ユニット
２０  照明ユニット
２１  スピーカ
２２  メダルセレクター
２３  メダルシュート
２４  入力用コネクタ
２５ａ〜２５ｊ、２５ｌ  出力用コネクタ
２５ｋ  出力用コネクタ(選択出力コネクタ)
２６ａ、２６ｂ  照明入力用コネクタ
２６ｃ  確認用コネクタ
２６ｄ、２６ｅ  作動確認スイッチ
２７  冷陰極管（照明手段、遊技演出手段）
２８  操作部ランプ（照明手段、遊技演出手段）
２９  止め部材
３０  中継基板
３１  基板ブラケット
３２  光拡散シート
３２ａ  切欠部
３３ａ、３３ｂ  切換スイッチ
３４  目隠し用部材
１９１  表示装置
１９２  表示ハウジング
１９２ａ  被取付部
２０１  ＬＥＤ（光源）
２０２  照明基板
２０３  照明ハウジング
２０３ａ  被取付部
２０３ｂ  取付部
２０３ｃ  位置決め突起部
３１０  パネル  
３１１  表示窓
３１２  識別情報表示窓
３１３、３１４  表示部
３１５  取付部
【図１】
0004987445.tif 000002
【図２】
0004987445.tif 000003
【図３】
0004987445.tif 000004
【図４】
0004987445.tif 000005
【図５】
0004987445.tif 000006
【図６】
0004987445.tif 000007